(57)【要約】【課題】ストレーナーに捕捉された固形異物を容易に排除できる空気調和装置を提供すること。【解決手段】圧縮機１６、アキュムレーター１８、四方弁１９及び室外熱交換器２２を有する室外ユニット１１と、室内熱交換器２９Ａ〜２９Ｅを有する室内ユニット１２Ａ〜１２Ｅとをガス冷媒配管１３及び液冷媒配管１４で接続して構成される冷媒回路１００を備え、圧縮機１６とアキュムレーター１８との間に冷媒とともに冷媒回路１００を循環する固形異物を捕捉するストレーナー１７を設け、このストレーナー１７は、スクリーンを収容するストレーナー本体３１と、このストレーナー本体３１にフランジ接続されるカバー体４０とを備えた。【選択図】図１
2010190530.tif 000002
【特許請求の範囲】
【請求項１】
圧縮機、アキュムレーター、四方弁及び室外熱交換器を有する室外ユニットと、室内熱交換器を有する室内ユニットとをガス冷媒配管及び液冷媒配管で接続して構成される冷媒回路を備える空気調和装置において、
前記圧縮機と前記アキュムレーターとの間に冷媒とともに前記冷媒回路を循環する異物を捕捉するストレーナーを設け、このストレーナーは、スクリーンを収容するストレーナー本体と、このストレーナー本体にフランジ接続されるカバー体とを備えたことを特徴とする空気調和装置。
【請求項２】
前記ストレーナーは、前記圧縮機の吸込口にフレキシブル配管を介して連結されることを特徴とする請求項１に記載の空気調和装置。
【請求項３】
前記スクリーンは、メッシュの異なる複数の網を積層して形成され、当該スクリーンの一次側に位置する網が当該スクリーンの二次側に位置する網よりもメッシュを粗く形成されたことを特徴とする請求項１または２に記載の空気調和装置。
【請求項４】
前記ガス冷媒配管及び液冷媒配管は、建造物に配置された既設の配管であり、この既設の配管に対して少なくとも前記室外ユニットが更新して配置されたことを特徴とする請求項１乃至３のいずれかに記載の空気調和装置。
【発明の詳細な説明】
【技術分野】
【０００１】
本発明は、室外ユニットと室内ユニットとをガス冷媒配管及び液冷媒配管で接続して構成される冷媒回路を備える空気調和装置に関する。
【背景技術】
【０００２】
一般に、圧縮機、アキュムレーター、四方弁及び室外熱交換器を有する室外ユニットと、室内熱交換器を有する室内ユニットとをガス冷媒配管及び液冷媒配管で接続して構成される冷媒回路を備える空気調和装置が知られている。この種の空気調和装置では、既設ビル等の建造物における空気調和装置の更新（入れ替え）工事を行う場合、工期の短縮及びコストダウンのために、ガス冷媒配管及び液冷媒配管（以下、既設冷媒配管とする）を流用することが行われている。
ここで、既設冷媒配管内には、更新前の室外ユニットに搭載された圧縮機の摺動部の摩耗によって生じた多量の摩耗粉や、更新前の冷媒やオイルに由来する酸化スケール等の固形異物が残留していることが多い。このような固形異物に対して何も対策を施さず既設冷媒配管を再利用すると、固形異物が更新後の室外ユニットに搭載した圧縮機に侵入して当該圧縮機の摺動部の摩耗を促進し、空気調和装置の信頼性を著しく損なうおそれがある。
これを解消するために、綾畳織されたスクリーンを胴体内に備えるストレーナーを冷媒回路に設け、このスクリーンにより固形異物を捕捉するものが提案されている（例えば、特許文献１参照）。
【特許文献１】特開２００２−２２４５１３号公報
【発明の開示】
【発明が解決しようとする課題】
【０００３】
ところで、既設冷媒配管を流用した場合には、この既設冷媒配管に残留した固形異物がストレーナーのスクリーンで捕捉されることにより圧縮機の保護を図ることができる一方、当該スクリーンが目詰まりを生じることが考えられる。しかしながら、従来の構成では、ストレーナーは、スクリーンを胴体内に収容した状態で、この胴体の両側面に鏡板をアーク溶接等で固定して形成されているため、スクリーンのみを交換することはできなかった。このため、スクリーンの目詰まりが生じた場合であっても、ストレーナー自体の交換が必要であった。さらに、ストレーナーは、冷媒配管にろう付けされているため、ストレーナーの着脱作業が煩雑となり、ストレーナーに捕捉された固形異物を排除することが困難であった。
【０００４】
そこで、本発明の目的は、上述した従来の技術が有する課題を解消し、ストレーナーに捕捉された固形異物を容易に排除できる空気調和装置を提供することにある。
【課題を解決するための手段】
【０００５】
上記課題を解決するため、本発明は、圧縮機、アキュムレーター、四方弁及び室外熱交換器を有する室外ユニットと、室内熱交換器を有する室内ユニットとをガス冷媒配管及び液冷媒配管で接続して構成される冷媒回路を備える空気調和装置において、前記圧縮機と前記アキュムレーターとの間に冷媒とともに前記冷媒回路を循環する異物を捕捉するストレーナーを設け、このストレーナーは、スクリーンを収容するストレーナー本体と、このストレーナー本体にフランジ接続されるカバー体とを備えたことを特徴とする。
【０００６】
この構成によれば、ストレーナー本体とカバー体とがフランジ接続されているため、このカバー体を外すことにより、ストレーナー本体内に収容されるスクリーンを容易に交換もしくは洗浄することができ、ストレーナーに捕捉された固形異物を容易に排除することができる。
また、ストレーナーは、圧縮機とアキュムレーターとの間に配置されるため、冷房運転または暖房運転であっても、冷媒の流れが変更しない。このため、単一のストレーナーで確実に固形異物を捕捉することができる。
【０００７】
この構成において、前記ストレーナーは、前記圧縮機の吸込口にフレキシブル配管を介して連結される構成としても良い。この構成によれば、ストレーナー本体またはカバー体がフレキシブル配管を介して圧縮機の吸込口に接続されるため、ストレーナー本体とカバー体とのフランジ接続を外すだけで、ストレーナー本体の接続口を開放することができ、このストレーナー本体内に収容されるスクリーンの着脱作業を容易に行うことができる。
この場合、ストレーナー本体よりも小さく形成されるカバー体をフレキシブル配管に接続すれば、このフレキシブル配管を介してカバー体を容易に操作できるため、室外ユニット内のような狭い空間であっても、ストレーナー本体内に収容されるスクリーンの着脱作業をより容易に行うことができる。
【０００８】
また、前記スクリーンは、メッシュの異なる複数の網を積層して形成され、当該スクリーンの一次側に位置する網が当該スクリーンの二次側に位置する網よりもメッシュを粗く形成された構成としても良い。この構成によれば、ストレーナーに流入する固形異物の大きさによって捕捉される網を異ならせることができ、スクリーンの捕捉面積を大きく確保することができる。このため、メッシュが一様なものと比較してスクリーンが目詰まりしにくく、このスクリーンの交換もしくは洗浄までの期間を長くすることができる。
【０００９】
また、前記ガス冷媒配管及び液冷媒配管は、建造物に配置された既設の配管であり、この既設の配管に対して少なくとも前記室外ユニットが更新して配置された構成としても良い。この構成によれば、建造物に配置された既設のガス冷媒配管または液冷媒配管内に残留する固形異物をストレーナーで捕捉するとともに、この捕捉した固形異物を容易に排除できるため、当該既設のガス冷媒配管及び液冷媒配管を有効に再利用することができる。
【発明の効果】
【００１０】
本発明によれば、ストレーナー本体とカバー体とがフランジ接続されているため、このカバー体を外すことにより、ストレーナー本体内に収容されるスクリーンを容易に交換もしくは洗浄することができ、ストレーナーに捕捉された固形異物を容易に排除することができる。
【発明を実施するための最良の形態】
【００１１】
以下、図面を参照して本発明の好適な実施の形態について説明する。
図１は、本発明に係るガスヒートポンプ（ＧＨＰ）式の空気調和装置における冷媒回路を示す回路図である。
空気調和装置１０は、室外ユニット１１及び複数台（例えば５台）の室内ユニット１２Ａ〜１２Ｅを備え、これら室外ユニット１１と各室内ユニット１２Ａ〜１２Ｅとが、ガス冷媒配管１３及び液冷媒配管１４により連結されて冷媒回路１００を構成する。これらガス冷媒配管１３及び液冷媒配管１４は、ビルディング等の建造物に配置された既設の冷媒配管であり、これら既設のガス冷媒配管１３及び液冷媒配管１４に対して、更新された（入れ替えられた）新規の室外ユニット１１及び室内ユニット１２Ａ〜１２Ｅが接続されて空気調和装置１０が形成されている。
【００１２】
室外ユニット１１は室外に設置され、燃料ガスなどを燃焼させて駆動力を発生するガスエンジン１５と、このガスエンジン１５の出力軸にＶベルト１５Ａを介して連結され、当該ガスエンジン１５によって駆動される圧縮機１６とを備える。この圧縮機１６の吸込側にはストレーナー１７、アキュムレーター１８及び四方弁１９が室外冷媒配管２０を介して順次接続され、当該圧縮機１６の吐出側にはオイルセパレーター２１及び四方弁１９が接続されている。この四方弁１９には室外熱交換器２２、室外膨張弁２３、ドライコア２４及び液側サービスバルブ２５が順次接続され、この液側サービスバルブ２５に液冷媒配管１４が接続される。更に、四方弁１９にはガス側サービスバルブ２６が接続され、このガス側サービスバルブ２６にガス冷媒配管１３が接続されている。また、室外熱交換器２２には、この室外熱交換器２２へ向かって送風する室外ファン３５が隣接して配置されている。
本実施形態では、空気調和装置１０は、圧縮機１６がガスエンジン１５で駆動されるため、当該圧縮機が電動モーターで駆動されるタイプの空気調和装置に比べて、室外冷媒配管２０に伝達される振動が大きくなる傾向にある。このため、圧縮機１６の吸込側及び吐出側には、それぞれフレキシブル配管２７が接続され、このフレキシブル配管２７が圧縮機１６の振動を吸収することにより、当該圧縮機１６から室外冷媒配管２０への振動の伝達が抑制される。
【００１３】
一方、室内ユニット１２Ａ〜１２Ｅはそれぞれ室内に設置され、ガス冷媒配管１３及び液冷媒配管１４にそれぞれ並列に接続されている。各室内ユニット１２Ａ〜１２Ｅは、ガス冷媒配管１３と液冷媒配管１４とを連結する室内冷媒配管２８Ａ〜２８Ｅを備え、これら室内冷媒配管２８Ａ〜２８Ｅには室内熱交換器２９Ａ〜２９及び室内膨張弁３０Ａ〜３０Ｅが設けられている。室内熱交換器２９Ａ〜２９Ｅには、これら室内熱交換器２９Ａ〜２９Ｅへ送風する室内ファン３６Ａ〜３６Ｅが隣接して配置されている。
【００１４】
四方弁１９が切り換えられることにより、空気調和装置１０が冷房運転又は暖房運転に設定される。つまり、四方弁１９が冷房側に切り換えられたときには、冷媒が実線矢印の如く流れ、室外熱交換器２２が凝縮器に、室内熱交換器２９Ａ〜２９Ｅが蒸発器になって冷房運転状態となり、各室内熱交換器２９Ａ〜２９Ｅが室内を冷房する。また、四方弁１９が暖房側に切り換えられたときには、冷媒が破線矢印の如く流れ、室内熱交換器２９Ａ〜２９Ｅが凝縮器に、室外熱交換器２２が蒸発器になって暖房運転状態となり、各室内熱交換器２９Ａ〜２９Ｅが室内を暖房する。
また、冷房運転時には、室内膨張弁３０Ａ〜３０Ｅのそれぞれの弁開度が空調負荷に応じて制御される。暖房運転時には、室外膨張弁２３及び室内膨張弁３０Ａ〜３０Ｅのそれぞれの弁開度が空調負荷に応じて制御される。
【００１５】
次に、ストレーナー１７について説明する。図２は、ストレーナー１７の側断面図であり、図３は、ストレーナー１７の分解斜視図である。
このストレーナー１７は、上述したように、圧縮機１６とアキュムレーター１８との間に設けられ、室外冷媒配管２０を介して圧縮機１６に流入する固形異物を捕捉するものである。これにより、例えば、既存のガス冷媒配管１３及び液冷媒配管１４に残留している固形異物が冷媒とともに室外ユニット１１内に流入した場合であっても、この固形異物が圧縮機１６内に侵入することが防止される。
ストレーナー１７は、図２及び図３に示すように、ストレーナー本体３１と、このストレーナー本体３１にフランジ接続されるカバー体４０と、当該ストレーナー本体３１内に収容されて固形異物を捕捉するためのスクリーン５０とを備える。
【００１６】
ストレーナー本体３１は、略円筒状に形成されており、一端に室外冷媒配管２０に接続される接続口３２が形成され、他端に第１フランジ部３３が形成されている。この第１フランジ部３３の略中央には、フランジ面３３Ａよりも円還状に窪んだ凹部３４が形成されている。
カバー体４０は、このカバー体４０の略中央にストレーナー本体３１と連通する孔部４１が開口し、この孔部４１の周囲には、ストレーナー本体３１の第１フランジ部３３と相フランジとなる第２フランジ部４２が設けられている。また、カバー体４０の外側の面には、孔部４１の周囲にフレキシブル配管２７に接続される接続口４３が立設され、当該カバー体４０の内側の面には円還状に突出し、カバー体４０をストレーナー本体３１に組み付けた際に、このストレーナー本体３１の凹部３４に嵌る突状片４４が形成されている。
ストレーナー本体３１とカバー体４０とは、図２に示すように、第１フランジ部３３と第２フランジ部４２とを整合させ、これら第１フランジ部３３、第２フランジ部４２にそれぞれ形成された複数のボルト孔をボルト５５及びナット５６で締結することにより連結される。
【００１７】
スクリーン５０は、円筒状に形成された円筒部５１と、この円筒部５１の一端を覆って端面を形成する端面部５２と、当該円筒部５１の他端の外周面からフランジ状に突出した保持部５３とを備える。この保持部５３は、スクリーン５０をストレーナー本体３１内に収容した際に、このストレーナー本体３１の凹部３４に配置され、この凹部３４とカバー体４０の突状片４４とで保持される。このため、スクリーン５０は、ストレーナー本体３１内で位置決めされるとともに、スクリーン５０の円筒部５１及び端面部５２によって、接続口３２を介してアキュムレーター１８に連通するスクリーン５０の一次空間５７と、接続口４３を介して圧縮機１６に連通するスクリーン５０の二次空間５８とを確実に区分けすることができる。これにより、ストレーナー１７に流入した固形異物は、スクリーン５０で確実に捕捉され、この固形異物が二次空間５８（すなわち圧縮機１６内）に侵入することが防止される。ここで、一次空間５７はスクリーン５０を通過する前の空間をいい、二次空間５８はスクリーン５０通過後の空間をいう。
【００１８】
円筒部５１及び端面部５２は、金属製の縦糸及び横糸を平織もしくは綾織された、メッシュ（単位長さ当たりの開口数）の異なる金網を積層して形成され、本実施形態では、スクリーン５０の外側（一次空間５７側）に位置する金網層の方が内側（二次空間５８側）に位置する金網層よりもメッシュが粗く形成されている。
このように、スクリーン５０は、メッシュの異なる金網を積層して形成されるため、流入した固形異物の大きさによって捕捉される金網を異ならせることができ、スクリーン５０の厚み方向に亘って、種々な大きさの固形異物を捕捉することができるため、スクリーン５０の捕捉面積を大きく確保することができる。このため、メッシュが一様なものと比較してスクリーン５０が目詰まりしにくく、このスクリーン５０の交換もしくは洗浄までの期間を長くすることができる。
【００１９】
また、本実施形態では、ストレーナー１７は、ストレーナー本体３１とカバー体４０とを備え、このカバー体４０の接続口４３にフレキシブル配管２７が接続されている。ここでカバー体４０は、ストレーナー本体３１よりも小さく形成されているため、この小さなカバー体４０をフレキシブル配管２７に接続すれば、このカバー体４０を操作する自由度を高めることができる。このため、ストレーナー本体３１とカバー体４０とのフランジ接続を外すだけで、ストレーナー本体３１のフランジ接続口を開放することができ、室外ユニット１１内のように各機器が配置された狭い空間であっても、このストレーナー本体３１内に収容されるスクリーン５０の着脱作業を容易に行うことができる。
本構成では、ストレーナー１７は、ストレーナー本体３１内にスクリーン５０を収容しているため、このスクリーン５０に固形異物が溜まっていても、外観上、交換もしくは洗浄時期を迎えているのか否か判別することができない。このため、ストレーナー１７の前後の差圧を計測し、この差圧が所定圧力まで上昇した場合に報知する構成とするのが望ましい。
【００２０】
次に、ストレーナー１７のスクリーン５０の交換動作について説明する。
液側サービスバルブ２５を閉じ、ガス側サービスバルブ２６を開放して、室外ユニット１１を暖房運転する。この場合、圧縮機１６から吐出された冷媒は、各室内ユニット１２Ａ〜１２Ｅの室内熱交換器２９Ａ〜２９Ｅで凝縮されて液冷媒配管１４側に貯留される（いわゆるポンプアウト運転）。
次に、室外ユニット１１の暖房運転を停止するとともに、ガス側サービスバルブ２６を閉塞して、冷媒回路１００から室外ユニット１１を切り離す。そして、ガス側サービスバルブ２６に真空ポンプ（不図示）を取り付け、室外ユニット１１の室外冷媒配管２０及び各機器内に残存する冷媒を真空引きにより採取する。
次に、カバー体４０とストレーナー本体３１とを連結する第１及び第２フランジ部３３、４２のボルト５５及びナット５６を外し、カバー体４０を取り外す。このカバー体４０は、フレキシブル配管２７に連結されているため、当該カバー体４０を操作する自由度を高く保持することができ、容易にストレーナー本体３１の軸線上からカバー体４０を離脱させることができる。
次に、ストレーナー本体３１のフランジ接続口が開口するため、このストレーナー本体３１内に収容しているスクリーン５０を取り外し、このスクリーン５０を清浄もしくは交換して、当該スクリーン５０内に溜まった固形異物を除去する。そして、きれいなスクリーン５０を再びストレーナー本体３１内に収容し、このストレーナー本体３１とカバー体４０とをボルト５５及びナット５６でフランジ接続する。
次に、室外ユニット１１内を再び真空引きした後に、上記液側サービスバルブ２５及びガス側サービスバルブ２６を徐々に開放して空気調和装置１０の運転を開始する。
【００２１】
以上説明したように、本実施の形態によれば、圧縮機１６、アキュムレーター１８、四方弁１９及び室外熱交換器２２を有する室外ユニット１１と、室内熱交換器２９Ａ〜２９Ｅを有する室内ユニット１２Ａ〜１２Ｅとをガス冷媒配管１３及び液冷媒配管１４で接続して構成される冷媒回路１００を備え、圧縮機１６とアキュムレーター１８との間に冷媒とともに冷媒回路１００を循環する固形異物を捕捉するストレーナー１７を設け、このストレーナー１７は、スクリーン５０を収容するストレーナー本体３１と、このストレーナー本体３１にフランジ接続されるカバー体４０とを備えたため、このカバー体４０を外すことにより、ストレーナー本体３１内に収容されるスクリーン５０を容易に交換もしくは洗浄することができ、スクリーン５０に捕捉された固形異物を容易に排除することができる。
また、ストレーナー１７は、圧縮機１６とアキュムレーター１８との間に配置されるため、冷房運転または暖房運転であっても、アキュムレーター１８から圧縮機１６へと冷媒が流れる方向が変更しない。このため、単一のストレーナー１７を設けるだけで確実に固形異物を捕捉することができる。
また、ストレーナー１７は、室外ユニット１１の筐体内に設けられているため、仮に、ストレーナー１７に結露が生じて室外ユニット１１内に滴下したとしても問題とはならない。このため、ストレーナー１７の周囲に断熱材等を施す必要なく、部材のコスト、製造コストを抑制することができる。
【００２２】
また、本実施形態によれば、ストレーナー１７は、ストレーナー本体３１とカバー体４０とを備え、このカバー体４０の接続口４３と圧縮機１６の吸込口とがフレキシブル配管２７により接続されているため、ストレーナー本体３１とカバー体４０とのフランジ接続を外すだけで、ストレーナー本体３１のフランジ接続口を開放することができ、このストレーナー本体３１内に収容されるスクリーン５０の着脱作業を容易に行うことができる。
特に、本実施形態では、カバー体４０がストレーナー本体３１よりも小さく形成されているため、この小さなカバー体４０をフレキシブル配管２７に接続すれば、このカバー体４０を操作する自由度を高めることができる。このため、ストレーナー本体３１とカバー体４０とのフランジ接続を外すだけで、ストレーナー本体３１のフランジ接続口を開放することができ、室外ユニット１１内のように各機器が配置された狭い空間であっても、このストレーナー本体３１内に収容されるスクリーン５０の着脱作業を容易に行うことができる。
【００２３】
また、本実施形態によれば、スクリーン５０は、メッシュの異なる複数の網を積層して形成され、スクリーン５０の外側（一次空間５７側）に位置する金網層の方が内側（二次空間５８側）に位置する金網層よりもメッシュが粗く形成されている。このため、流入した固形異物の大きさによって捕捉される金網を異ならせることができ、スクリーン５０の厚み方向に亘って、種々な大きさの固形異物を捕捉することができるため、スクリーン５０の捕捉面積を大きく確保することができる。このため、メッシュが一様なものと比較してスクリーン５０が目詰まりしにくく、このスクリーン５０の交換もしくは洗浄までの期間を長くすることができる。
【００２４】
また、本実施形態によれば、ガス冷媒配管１３及び液冷媒配管１４は、建造物に配置された既設の配管であり、空気調和装置１０は、この既設のガス冷媒配管１３、液冷媒配管１４に対して室外ユニット１１が更新されたため、既設のガス冷媒配管１３または液冷媒配管１４内に残留する固形異物をストレーナー１７で捕捉するとともに、この捕捉した固形異物を容易に排除できるため、当該既設のガス冷媒配管１３及び液冷媒配管１４を有効に再利用することができる。
【００２５】
別の実施形態について説明する。
図４は、別の実施形態にかかるストレーナー６０の側断面図であり、図５は、このストレーナー６０の分解斜視図である。
このストレーナー６０は、ストレーナー本体６１の両端部にそれぞれカバー体４０がフランジ接続される点で、上記したストレーナー１７と構成を異にする。カバー体４０及びスクリーン５０の構成は、上記したものと同一であるため、同一の符号を付して説明を省略する。なお、このストレーナー６０を室外ユニット１１に配置する場合には、図４に示すように、一方（入口側）のカバー体４０の接続口４３に室外冷媒配管２０が接続され、他方（出口側）のカバー体４０の接続口４３には、フレキシブル配管２７が接続されている。
ストレーナー本体６１は、円筒状状に形成され両端部にそれぞれ第１フランジ部３３が形成されている。この第１フランジ部３３は、カバー体４０の第２フランジ部４２と相フランジとなっている。
この別の実施形態では、ストレーナー６０は２組の第１及び第２フランジ部３３、４２で接続されているため、これら２組のフランジの接続を外すことにより、ストレーナー本体６１を冷媒回路１００から取り外すことができ、このストレーナー本体６１内に収容されたスクリーンの交換もしくは洗浄を行うことができる。このため、例えば、モーター駆動の圧縮機を備える室外ユニットのように、圧縮機の吸込口にフレキシブル配管を接続されていない室外ユニットであっても、ストレーナー６０を容易に冷媒回路１００に組み入れることができる。
【００２６】
上記した実施形態は本発明を適用した一態様を示すものであって、本発明は上記実施形態に限定されない。例えば、図６に示すように、ガス冷媒配管１３の室外ユニット１１（すなわちガス側サービスバルブ２６）に近接した位置に、上記ストレーナー１７、６０と協働して固形異物を捕捉するストレーナーユニット７０を設ける構成としても良い。このストレーナーユニット７０は、冷房運転時に、ガス冷媒配管１３及び液冷媒配管１４内に残留して冷媒とともに冷媒回路１００を循環する固形異物を捕捉し、この固形異物の室外ユニット１１内への侵入を防止するものである。
ストレーナーユニット７０は、ガス冷媒配管１３にフランジまたはフレア接続されるストレーナー７１と、このストレーナー７１よりも室内ユニット１２Ａ〜１２Ｅ側に配置された閉鎖弁７２とを備えて構成される。このストレーナーユニット７０を設けることにより、当該ストレーナーユニット７０及びストレーナー１７、６０で分散して固形異物を捕捉するため、各ストレーナーのスクリーンが目詰まりしにくく、このスクリーンの交換もしくは洗浄までの期間を長くすることができる。
ストレーナーユニット７０のストレーナー７１を取り外す場合には、閉鎖弁７２とガス側サービスバルブ２６とを閉塞し、これらバルブ間に残る冷媒を回収すれば良い。このため、閉鎖弁７２とガス側サービスバルブ２６との距離が短いほど、残留する冷媒量は少なく、ストレーナー７１の取り外し作業が容易となる。
この構成では、ガス冷媒配管１３にストレーナーユニット７０を設けた構成を示しているが、このストレーナーユニット７０を液冷媒配管１４にも設けても良いことは勿論である。
【図面の簡単な説明】
【００２７】
【図１】本発明に係るガスヒートポンプ（ＧＨＰ）式の空気調和装置における冷媒回路を示す回路図である。
【図２】ストレーナーの側断面図である。
【図３】ストレーナーの分解斜視図である。
【図４】別の実施形態にかかるストレーナーの側断面図である。
【図５】別の実施形態にかかるストレーナーの分解斜視図である。
【図６】ガス冷媒配管にストレーナーユニットを設けた構成を示す冷媒回路図である。
【符号の説明】
【００２８】
１０  空気調和装置
１１  室外ユニット
１２Ａ〜１２Ｅ  室内ユニット
１３  ガス冷媒配管
１４  液冷媒配管
１５  ガスエンジン
１６  圧縮機
１７、６０、７１  ストレーナー
１８  アキュムレーター
１９  四方弁
２０  室外冷媒配管
２２  室外熱交換器
２５  液側サービスバルブ
２６  ガス側サービスバルブ
２７  フレキシブル配管
３１、６１  ストレーナー本体
３２  接続口
３３  第１フランジ部
４０  カバー体
４１  孔部
４２  第２フランジ部
４３  接続口
５０  スクリーン
５１  円筒部
５２  端面部
５３  保持部
５７  一次空間
５８  二次空間
７０  ストレーナーユニット
７２  閉鎖弁
１００  冷媒回路
【図１】
2010190530.tif 000003
【図２】
2010190530.tif 000004
【図３】
2010190530.tif 000005
【図４】
2010190530.tif 000006
【図５】
2010190530.tif 000007
【図６】
2010190530.tif 000008